(57)【要約】【課題】  網戸使用時は窓戸のみが開閉され、網戸不使用時は網戸が窓戸と連動して開閉される辷り出し窓を提供する。【解決手段】  窓戸３と網戸４とを有する辷り出し窓において、窓戸３が、一端側が窓枠２に回転可能に支持され他端側が該窓戸３に回転可能に連結された回転レバー６，７と、該窓戸を開閉するための操作ハンドル５と、該窓戸枠３ａ，３ｂに沿って延びる係合溝１２とを有し、上記網戸４の一端側が上記窓枠２に回転可能でスライド可能に係合され、他端側に上記係合溝１２に係脱可能なラッチ機構２１を有する。該ラッチ機構２１のラッチ部材２３を上記係合溝１２にスライド可能に係合させることにより、網戸４が窓戸３と連動して開閉し、非係合では窓戸３のみが開閉する。【選択図】        図１
2006070665.tif 000002
【特許請求の範囲】
【請求項１】
窓枠に必要数の回転レバーを介して連結され、操作ハンドルの回動操作で駆動される駆動レバーにより該窓枠から外側に開く窓戸と、該窓戸の室内側に配置された網戸とを有する辷り出し窓において、
上記窓戸が、その室内側に該窓戸の回動軸と直交する窓戸枠に沿って延びる係合溝を有し、
上記網戸が、窓戸の非辷り出し端側が少なくとも上記窓枠に回転可能に連結され、該窓戸の辷り出し端側に上記窓戸の係合溝に係脱可能なラッチ機構を有し、該ラッチ機構を上記係合溝にスライド可能に係合させることにより上記窓戸と連動して開閉可能とし、該ラッチ機構の非係合により網戸を窓枠側に残したまま窓戸を開放可能にした、
ことを特徴とする辷り出し窓。
【請求項２】
上記網戸が、窓戸の非辷り出し端側に回転可能に連結された係合部材を有し、該係合部材を窓枠に設けた支持レールにスライド可能に嵌合することにより、上記網戸の一端を上記窓枠に回転可能かつ移動可能に連結した、
ことを特徴とする請求項１に記載の辷り出し窓。
【請求項３】
上記ラッチ機構が、網戸の枠部材に設けたラッチ摘みと、該ラッチ摘みにより駆動され上記係合溝に係脱するラッチ部材とから成る、
ことを特徴とする請求項１または２に記載の辷り出し窓。
【請求項４】
上記窓枠が水平な横窓枠と鉛直な縦窓枠とを有し、上記窓戸が該横窓枠あるいは縦窓枠に平行な回動軸の周りに開閉自在である、
ことを特徴とする請求項１〜３のいずれかに記載の辷り出し窓。
【請求項５】
上記網戸に回転可能に連結する係合部材が、該網戸に後付けで取付可能であり、
該係合部材をスライド可能に嵌合する支持レールが窓枠に後付けで取付可能であり、
上記係合溝が窓戸に後付けで取付けられる溝金具に設けられている、
ことを特徴とする請求項２に記載の辷り出し窓。
【請求項６】
窓枠に必要数の回転レバーを介して連結され、操作ハンドルの回動操作で駆動される駆動レバーにより該窓枠から外側に開く窓戸に、その室内側に装着するための辷り出し窓用網戸装置であって、
窓戸の非辷り出し端側が少なくとも上記窓枠に回転可能に連結される上記網戸と、
上記窓戸の回動軸と直交する窓戸枠に沿って該窓戸の室内側に取り付けられ、該窓戸枠に沿って延びる係合溝を有する溝金具と、
上記網戸における窓戸の辷り出し端側に設けられ、上記係合溝にスライド可能に係脱させるラッチ機構と、
を備えることを特徴とする辷り出し窓用網戸装置。
【請求項７】
上記網戸における窓戸の非辷り出し端側に回転可能に取り付けられる係合部材と、窓枠に取り付けられ、該係合部材をスライド可能に嵌合する支持レールとを備え、
上記網戸の一端を上記窓枠に回転可能かつ支持レールに沿って移動可能にした、
ことを特徴とする請求項６に記載の辷り出し窓用網戸装置。
【発明の詳細な説明】
【技術分野】
【０００１】
本発明は、操作ハンドルにより開閉操作されて外側に開く窓戸と、該窓戸の室内側に配置された網戸とを有する辷り出し窓、及び該窓用の網戸装置に関するものである。
【背景技術】
【０００２】
操作ハンドルにより開閉操作されて外側に開く窓戸と、該窓戸の室内側に配置された網戸とを有する辷り出し窓は従来公知であるが、窓戸の室内側に網戸が常時嵌め殺し状態で固定されているものは、開放感がないという問題がある。
また、網戸を常時嵌め殺し状態で固定していない辷り出し窓として、特許文献１に示されているものでは、窓戸と網戸が共に外開きが可能なように回転心を同一にした共通の蝶番で止められているが、窓戸のみを開いた状態にするには、窓戸と網戸を一旦共に開いた状態にしてから網戸だけを戻す必要があり、また、窓戸を閉じるには網戸を一度外方に開いてから窓戸と網戸を共に戻す必要があり、そのため、窓戸のみを独立に開閉操作することができず、窓戸を開閉する際には、一旦網戸も開閉しなければならないという煩わしさがある。
【０００３】
また、特許文献２には、屋内側に回動する網戸障子を設け、網戸障子と窓障子とを拡開自由な連結部材で連動させた片開き窓ユニットが示されているが、この片開き窓ユニットでは、網戸障子を完全に閉じた状態では、窓障子は一定角度で外に開いた状態となり、居室へ外気を導入させることができるが、連結部材を伸展させて網戸障子の開閉操作で窓障子を開閉させているため、特許文献１の場合と同様に、窓障子のみを開閉操作することができず操作が煩わしいという問題がある。
【０００４】
【特許文献１】実公平３−１８６３０号公報
【特許文献２】特開２００１−３４９１５９号公報
【発明の開示】
【発明が解決しようとする課題】
【０００５】
本発明の技術的課題は、網戸使用時は窓戸のみが開閉され、網戸不使用時には網戸が窓戸と連動して開閉できる辷り出し窓、及び該窓用の網戸装置を提供することにある。
本発明の他の技術的課題は、従来の操作ハンドル駆動の辷り出し窓における窓枠にも容易に装着できるようにした辷り出し窓用の網戸装置を提供することにある。
【課題を解決するための手段】
【０００６】
上記課題を解決するため、本発明は、窓枠に必要数の回転レバーを介して連結され、操作ハンドルの回動操作で駆動される駆動レバーにより該窓枠から外側に開く窓戸と、該窓戸の室内側に配置された網戸とを有する辷り出し窓において、上記窓戸が、その室内側に該窓戸の回動軸と直交する窓戸枠に沿って延びる係合溝を有し、上記網戸が、窓戸の非辷り出し端側が少なくとも上記窓枠に回転可能に連結され、該窓戸の辷り出し端側に上記窓戸の係合溝に係脱可能なラッチ機構を有し、該ラッチ機構を上記係合溝にスライド可能に係合させることにより上記窓戸と連動して開閉可能とし、該ラッチ機構の非係合により網戸を窓枠側に残したまま窓戸を開放可能にしたことを特徴とするものである。
【０００７】
上記構成を有する辷り出し窓は、網戸使用時は、上記網戸のラッチ機構と上記窓戸の係合溝との係合が解除されている状態で、上記操作ハンドルを回すことにより、窓戸のみ独立して開閉することができ、また、網戸不使用時は、上記網戸のラッチ機構を上記窓戸の係合溝にスライド可能に係合させてから上記操作ハンドルを回すことにより、網戸を窓戸と連動して簡単に開閉させることができ、網戸が開かれるため開放感が得られる。
【０００８】
本発明の好ましい実施形態においては、上記網戸が、窓戸の非辷り出し端側に回転可能に連結された係合部材を有し、該係合部材を窓枠に設けた支持レールにスライド可能に嵌合することにより、上記網戸の一端を上記窓枠に回転可能かつ移動可能に連結したものとして構成される。
また、本発明の他の好ましい実施形態においては、上記ラッチ機構が、網戸の枠部材に設けたラッチ摘みと、該ラッチ摘みにより駆動され上記係合溝に係脱するラッチ部材により形成される。
上記本発明の辷り出し窓は、上記窓枠が水平な横窓枠と鉛直な縦窓枠とを有し、上記窓戸が該横窓枠あるいは縦窓枠に平行な回動軸の周りに開閉自在なものとして構成することができる。
【０００９】
更に、本発明の他の好ましい実施形態においては、上記網戸に回転可能に連結する係合部材を該網戸に後付けで取付可能とし、該係合部材をスライド可能に嵌合する支持レールを窓枠に後付けで取付可能とし、上記係合溝が窓戸に後付けで取付けられる溝金具に設けられたものとすることができ、これにより、上記網戸を既存の辷り出し窓に取り付けることが可能となる。
【００１０】
また、本発明に係る辷り出し窓用網戸装置は、窓枠に必要数の回転レバーを介して連結され、操作ハンドルの回動操作で駆動される駆動レバーにより該窓枠から外側に開く窓戸に、その室内側に装着するための辷り出し窓用の網戸であって、窓戸の非辷り出し端側が少なくとも上記窓枠に回転可能に連結される上記網戸と、上記窓戸の回動軸と直交する窓戸枠に沿って該窓戸の室内側に取り付けられ、該窓戸枠に沿って延びる係合溝を有する溝金具と、上記網戸における窓戸の辷り出し端側に設けられ、上記係合溝にスライド可能に係脱させるラッチ機構とを備えることを特徴とするものである。
上記辷り出し窓用網戸装置においては、網戸における窓戸の非辷り出し端側に回転可能に取り付けられる係合部材と、窓枠に取り付けられ、該係合部材をスライド可能に嵌合する支持レールとを備え、上記網戸の一端を上記窓枠に回転可能かつ支持レールに沿って移動可能にすることができる。
【発明の効果】
【００１１】
上述した本発明によれば、網戸使用時は窓戸のみが開閉され、網戸不使用時には網戸が窓戸と連動して開閉できる辷り出し窓及び該窓用網戸装置を提供することができる。
【発明を実施するための最良の形態】
【００１２】
図１〜図３は、本発明に係る辷り出し窓の好ましい一実施形態を示すものである。この辷り出し窓１は、矩形状の窓枠２と、操作ハンドル５により回動操作されて該窓枠２から辷り出し状態で外側に開き、閉じた状態で該窓枠２に収容される窓戸３と、該窓戸の室内側に配置される網戸４とを有している。
【００１３】
該窓戸３は、窓枠２に必要数の回転レバー６，７を介して連結されるもので、ここでは二つの回転レバー６，７の一端を連結軸６ａ，７ａにより窓枠２に回転可能に連結すると共に、それらの回転レバー６，７の他端を連結軸６ｂ，７ｂにより窓戸３に回転可能に連結し、それらの回転レバー６，７によって支持された窓戸３が操作ハンドル５の回動操作で駆動されて、開位置（図１）と閉位置（図３）との間を移動可能としている。この操作ハンドル５による窓戸３の開閉駆動は、図示の例では上記回転レバー７を駆動レバーとして、操作ハンドル５により該駆動レバーを支持する連結軸７ａを回転させて、その回転を該駆動レバーに伝達するようにしているが、図１５〜図１７の実施例によって後述するように、回転レバー６，７とは別に駆動レバーを設けることもできる。
【００１４】
更に詳述すると、上記窓枠２は、水平な一対の横窓枠２ａ，２ｂと、鉛直な一対の縦窓枠２ｃ，２ｄとを有し、上記辷り出し窓１は、上記窓戸３が上記回転レバー６，７によって縦窓枠２ｃ，２ｄに対し平行な回動軸（この回動軸は一定位置にあるものではない。）の周りに開閉自在とした辷り出し窓として構成され、該窓戸３が操作ハンドル５の回転駆動により、外側に辷り出し状態で開閉するようにしている。
【００１５】
また、上記窓戸３は、図３〜図７に示すように、該窓戸３の辷り出し端側から該窓戸３の上下の横窓戸枠３ａ，３ｂに沿って延びる溝金具１１を取付け、該溝金具１１に該横窓戸枠３ａ，３ｂに沿って延びる係合溝１２を設けている。該溝金具１１は、図８〜図１２に示すように、上記網戸４が窓戸３と共に開閉されるときに少なくともその上端部及び下端部の一部を覆うように配置して、上記窓３ａ，３ｂにネジ１８で取付けられるものである。
なお、図４〜図７では上方の窓戸枠３ａを示していないので、その窓戸枠３ａに取付けられた上方の溝金具１１は図示されていない。また、図８〜図１２では溝金具１１が取付けられる窓戸枠３ａ，３ｂが省略されている。
【００１６】
上記網戸４は、図４〜図７に示すように、一対の横枠部材４ａ，４ｂと、一対の縦枠部材４ｃ，４ｄと、その一方の縦枠部材４ｃの上下端に回転可能に連結された係合部材１５とを有し、該係合部材１５は、上記横窓枠２ａ，２ｂに設けた支持レール１６に跨るようにしてスライド可能に嵌合されており、そのため、上記網戸４は、上記縦枠部材４ｃ、係合部材１５及び支持レール１６を介して上記横窓枠２ａ，２ｂの支持レール１６に対し回転可能かつ移動可能に連結されている。
上記支持レール１６は、図８〜図１２に示すように、網戸４の上記一方の縦枠部材４ｃ側の上端部及び下端部付近に位置するように、上記横窓枠２ａ，２ｂに沿って取付けられているものである。なお、図８〜図１２では支持レール１６が取付けられる横窓枠２ａ，２ｂが省略されている。
【００１７】
上記網戸４は、図８及び図９に示すように、支持レール１６で支持された縦枠部材４ｃとは反対側の縦枠部材４ｄに、上記窓戸３の溝金具１１に設けた係合溝１２に係脱可能なラッチ機構２１を有している。該ラッチ機構２１は、上記縦枠部材４ｄの高さ方向の中央部付近に設けた回動可能なラッチ摘み２２と、該ラッチ摘み２２により駆動されて上記縦枠部材４ｄの上下端部から出没して上記係合溝１２に係脱する一対のラッチ部材２３とで構成されている。
更に詳述すると、図１３(a)及び図１３(b)に例示するラッチ機構２１は、上記一対の棒状のラッチ部材２３の一端側に、上記ラッチ摘み２２と一体的に連結したピニオン２４に噛み合うラック部２３ａを有し、他端側に上記縦枠部材４ｄの上端及び下端から出没して上記係合溝１２と係脱するラッチ部２３ｂを有するものとして構成され、上記ラッチ摘み２２の回動により、図１３(a)に示すラッチ部２３ｂの係合溝１２への係合状態と、図１３(b)に示すように、ラッチ部２３ｂの係合溝１２への非係合状態とに切り換えできるようにしている。
【００１８】
また、図１４(a)及び図１４(b)に例示するラッチ機構２１は、上記一対のラッチ部材２３をＴ字状に形成して、その基部を縦枠部材４ｄの上方及び下方にピン２３ｃを介して回動可能に支持させ、それをラッチ摘み２２にワイヤ２５を介して回動できるように連結することにより、ラッチ部２３ｂが出没できるようにしている。この場合、上記ラッチ摘み２２の回動により、図１４(a)に示すような、ラッチ部２３ｂの係合溝１２に係合する状態と、図１４(b)に示すような、ラッチ部２３ｂの係合溝１２への非係合状態とに切り換えできるようにしている。
【００１９】
次に、上記窓戸３及び網戸４の開閉操作について述べる。
図３及び図４は、窓戸３及び網戸４が閉じた状態を示すもので、窓戸３及び網戸４は窓枠２内に閉じた状態で収容されている。この状態で上記ラッチ摘み２２を操作してラッチ部材２３と窓戸３に固定した溝金具１１の係合溝１２との係合を解除してから上記操作ハンドル５を回すと、窓戸３だけが回転レバー６，７によって姿勢を拘束された状態で、縦窓枠２ｃ，２ｄに対し平行な回動軸の周りを辷り出し状態で回動し、最終的には、図２及び図５に示すように、窓戸３を窓枠２に対してほぼ直交する姿勢をとる位置まで回動させることができる。
【００２０】
一方、図４に示す窓戸３及び網戸４が閉じた状態で、上記ラッチ摘み２２を操作して網戸４のラッチ部材２３を窓戸３の係合溝１２にスライド可能に係合させてから、上記操作ハンドル５を回すと、窓戸３は上述したところと同様に回動して開放するが、網戸４の縦枠部材４ｃに回転可能に連結した係合部材１５が、上記支持レール１６にスライド可能に嵌合し、網戸４の縦枠部材４ｄ側がラッチ部材２３を介して窓戸３の溝金具１１の係合溝１２にスライド可能に係合しているため、網戸４は、図６に示すように、上記縦枠部材４ｃの上下端の係合部材１５との間の回転軸を中心として回転しながら、縦枠部材４ｄ側がラッチ部材２３を介して窓戸３の溝金具１１の係合溝１２に沿ってスライドし、それにより、網戸４が窓戸３と連動してほぼ窓戸３と平行になる状態で回動し、最終的には、図１及び図７に示すように、窓戸３及び網戸４を窓枠２に対してほぼ直交する姿勢をとる位置まで回動させることができる。
【００２１】
上述した実施例では、上記回転レバー７を駆動レバーとして操作ハンドル５によりそれを回転駆動する旨を説明したが、図１５ないし図１７に示すように、回転レバー６，７とは別に駆動レバー８を設けることもできる。
即ち、この辷り出し窓では、操作ハンドル５によって図示しないウォームを介して回転駆動されるウォームホイール２７の凸部２７ａに駆動レバー８を連結軸８ａで回転自在に連結し、該駆動レバー８の他端を窓戸３の一部に連結軸８ｂで回転自在に連結している。その他の構成及び作用は前記実施例と実質的に変わるところがないので、同一または相当部分に同一の符号を付してそれらの説明を省略する。
また、前記図１〜図３の実施例を含めて、操作ハンドル５により窓戸３を開閉する機構は極めて一般的に知られているものであるから、それらの機構を適宜採用することができる。
【００２２】
図１８は、本発明に係る辷り出し窓の他の実施例を示すものである。
この実施例の該辷り出し窓１Ａは、水平な一対の横窓枠２ａ，２ｂと鉛直な一対の縦窓枠２ｃ，２ｄとを有する窓枠２に対し、窓戸３が回転レバー６，７によって支持され、上記横窓枠２ａ，２ｂに対し平行な水平回動軸（この水平回動軸は一定位置にあるものではない。）の周りに開閉自在に構成され、該窓戸３が操作ハンドル５の回転駆動により、外側に辷り出し状態で開閉するようにしている。駆動レバーを別設できるのは、図１５〜図１７を参照して先に説明した通りである。
なお、これらの点を除けば、この実施例は、図１〜図３に示す実施形態の辷り出し窓１と窓戸３の開閉方向が異なるのみで、基本的に同様の構成をしているから、図の主要な部分に同一の符号を付して、詳細な説明は省略する。
【００２３】
上述したいずれの実施例においても、網戸４に回転可能に連結する係合部材１５を、該網戸４における縦枠部材４ｃの上下端にネジ等により後付けで取付可能とし、また、該係合部材１５をスライド可能に嵌合する支持レール１６を窓枠２における上下の横窓枠２ａ，２ｂに後付けで取付可能とし、更に、上記窓戸３の上下の窓戸枠３ａ，３ｂに係合溝１２を有する溝金具１１をネジ１８により後付けで取付可能としておくことにより、網戸４自体のサイズを窓枠２に適合させれば、この網戸４を、回転レバーで支持されて操作ハンドルで外側に開くようにした既存の辷り出し窓に簡単に取り付けることが可能になる。
【００２４】
以上においては、網戸装置を備えた辷り出し窓１について説明したが、当該網戸装置自体を、窓枠２に必要数の回転レバー６，７を介して連結され、操作ハンドル５の回動操作で駆動される駆動レバー８により該窓枠から外側に開く新設または既設の窓戸３に装着するものとして構成することができる。
この場合、上記網戸装置は、窓戸３の非辷り出し端側が少なくとも上記窓枠２に回転可能に連結される網戸４と、上記窓戸３の回動軸と直交する窓戸枠に沿って該窓戸の室内側に取り付けられ、該窓戸枠に沿って延びる係合溝１２を有する溝金具１１と、上記網戸４における窓戸の辷り出し端側に設けられ、上記係合溝１２にスライド可能に係脱させるラッチ機構２１とを備えたものとして構成され、必要に応じて、更に、上記網戸４における窓戸３の非辷り出し端側に回転可能に取り付けられる係合部材１５と、窓枠に取り付けられ、該係合部材１５をスライド可能に嵌合する支持レール１６とを備え、上記網戸４の一端を上記窓枠２に回転可能かつ支持レール１６に沿って移動可能にしたものとして構成される。
【００２５】
上述した各実施例の辷り出し窓は、操作ハンドル５により回動操作されて外側に開く窓戸３と、該窓戸３の室内側に配置された網戸４とを有する辷り出し窓において、上記網戸４の一端側に設けたラッチ機構２１におけるラッチ部２３ｂを、上記溝金具１１の係合溝１２に係脱させるだけの操作で、上記網戸４を上記窓戸３の開閉と連動させ、またはそれを非連動として窓戸３のみを開閉させることができる。
また、上述したように網戸４を後付けで取付可能にした場合には、当然に網戸４を窓枠２から取外し可能であるため、ネット張り替えなどのメンテナンスも従来品と同様に手軽に行うことができる。
【００２６】
以上において、本発明の辷り出し窓の実施の形態について詳述したが、本発明は、ここで説明した実施例に限定されるものではなく、特許請求の範囲に記載の発明の精神を逸脱しない範囲で、設計において種々の変更ができるものである。
例えば、上記各実施例では、窓戸３及び網戸４が窓枠２に対して直交する位置まで回動できるようにしているが、窓戸３及び網戸４が窓枠２に対して直角以下の適宜角度範囲まで回動できるようにすることもでき、また、上記各実施例では、窓戸３及び網戸４の非辷り出し側が窓枠２の中央近くまで移動し、必要に応じて窓戸３の外面を払拭できるようにしているが、窓戸３及び網戸４の一端側が常に窓枠２の近傍に位置するようにして窓戸３及び網戸４を開閉可能にすることもでき、その場合、網戸４の一端側は窓枠２に対し回転するだけでスライドしない構成にしてもよい。
【図面の簡単な説明】
【００２７】
【図１】本発明に係る辷り出し窓の一実施例における窓戸及び網戸が全開状態（網戸不使用状態）の水平断面図である。
【図２】同実施例における窓戸のみが全開状態（網戸使用状態）の水平断面図である。
【図３】同実施例の窓戸を閉じた状態の縦断面図である。
【図４】同実施例における操作ハンドルや回転レバー、駆動レバーを省略し、窓戸を閉じた状態を示す部分斜視図である。
【図５】同窓戸のみが開いた状態を示す部分斜視図である。
【図６】同窓戸及び網戸が半開状態の部分斜視図である。
【図７】同窓戸及び網戸が全開状態の部分斜視図である。
【図８】同実施例における網戸と支持レール及び溝金具との関係を示す正面図である。
【図９】同平面図である。
【図１０】同水平断面図である。
【図１１】同側面図である。
【図１２】図８のＡ−Ａ矢視断面図である。
【図１３（ａ）】ラッチ機構と係合溝の係合状態の一実施例を示す部分正面図である。
【図１３（ｂ）】同ラッチ機構の係合解除状態を示す部分正面図である。
【図１４（ａ）】ラッチ機構と係合溝の係合状態の別の実施例を示す部分正面図である。
【図１４（ｂ）】同ラッチ機構の係合解除状態を示す部分正面図である。
【図１５】本発明に係る辷り出し窓の駆動レバーを別設した構造例における窓戸を閉じた状態の水平断面図である。
【図１６】同窓戸及び網戸が半開状態の水平断面図である。
【図１７】同全開状態の水平断面図である。
【図１８】本発明に係る辷り出し窓の他の実施例を示す縦断面図である。
【符号の説明】
【００２８】
１，１Ａ    辷り出し窓
２          窓枠
２ａ，２ｂ  横窓枠
２ｃ，２ｄ  縦窓枠
３          窓戸
３ａ〜３ｄ  窓戸枠
４          網戸
４ａ，４ｂ  横枠部材
４ｃ，４ｄ  縦枠部材
５          操作ハンドル
６，７      回転レバー
８          駆動レバー
１１          溝金具
１２          係合溝
１５          係合部材
１６          支持レール
１８          ネジ
２１          ラッチ機構
２２          ラッチ摘み
２３          ラッチ部材
【図１】
2006070665.tif 000003
【図２】
2006070665.tif 000004
【図３】
2006070665.tif 000005
【図４】
2006070665.tif 000006
【図５】
2006070665.tif 000007
【図６】
2006070665.tif 000008
【図７】
2006070665.tif 000009
【図８】
2006070665.tif 000010
【図９】
2006070665.tif 000011
【図１０】
2006070665.tif 000012
【図１１】
2006070665.tif 000013
【図１２】
2006070665.tif 000014
【図１３（ａ）】
2006070665.tif 000015
【図１３（ｂ）】
2006070665.tif 000016
【図１４（ａ）】
2006070665.tif 000017
【図１４（ｂ）】
2006070665.tif 000018
【図１５】
2006070665.tif 000019
【図１６】
2006070665.tif 000020
【図１７】
2006070665.tif 000021
【図１８】
2006070665.tif 000022